(57)【特許請求の範囲】
【請求項１】
オーディオビジュアル受信機でモザイク画像を表示する方法であって、
前記モザイク画像は、オーディオビジュアルチャネルをグラフィカルに識別する複数の小画像から構成され、
前記オーディオビジュアル受信機が、オーディオビジュアルチャネルと、前記オーディオビジュアルチャネルに関連するビジュアルデータにアクセスする識別子とからなる少なくとも２つのペアを含むリストを生成するステップと、
前記オーディオビジュアル受信機が、前記リストにおけるオーディオビジュアルチャネルに対応する識別子に関連するビジュアルデータの要求を、前記識別子に関連するサーバに送信するステップであり、前記要求を送信するステップは、前記リストを送信することを含み、前記生成するステップ及び前記送信するステップは、前記オーディオビジュアル受信機におけるモザイクアプリケーションのユーザによる始動に応答して実行されるステップと、
前記オーディオビジュアル受信機が、前記サーバから送出されたビジュアルデータを収集し、収集されたビジュアルデータからモザイク画像を形成し、形成されたモザイク画像におけるビジュアルデータの位置は、前記リストで特定されるステップと、
前記オーディオビジュアル受信機が、作成されたモザイク画像を表示するステップと、
を含むことを特徴とする方法。
【請求項２】
前記オーディオビジュアル受信機が、現在のオーディオビジュアルチャネルを識別する表示されたモザイク画像の小画像をグラフィカルにハイライト表示するステップ、及び前記サーバにより送出された現在のオーディオビジュアルチャネルに対応するオーディオストリームを受信するステップを含む、
ことを特徴とする請求項１記載のモザイク画像を表示する方法。
【請求項３】
前記オーディオビジュアル受信機が、現在のオーディオビジュアルチャネルを識別する表示されたモザイク画像の小画像をグラフィカルにハイライト表示するステップ、及び１方向性の伝送ネットワークにより送出された現在のオーディオビジュアルチャネルに対応するオーディオストリームを受信するステップを含む、
ことを特徴とする請求項１記載のモザイク画像を表示する方法。
【請求項４】
モザイク画像を表示するオーディオビジュアル受信機であって、
前記モザイク画像は、オーディオビジュアルチャネルをグラフィカルに識別する複数の小画像から構成され、
オーディオビジュアルチャネルと、前記オーディオビジュアルチャネルに関連するビジュアルデータにアクセスする識別子とからなる少なくとも２つのペアを含むリストを生成する第一手段と、
前記リストにおけるオーディオビジュアルチャネルに対応する識別子に関連するビジュアルデータの要求と、前記リストとを前記識別子に関連するサーバに送信する手段であり、前記生成する第一手段及び前記送信する手段は、前記オーディオビジュアル受信機におけるモザイクアプリケーションのユーザによる始動に応答して実行される手段と、
前記サーバから送出されたビジュアルデータを収集し、収集されたビジュアルデータからモザイク画像を作成し、作成されたモザイク画像におけるビジュアルデータの位置は、前記リストにおいて特定される手段と、
作成されたモザイク画像を表示する手段と、
を有することを特徴とするオーディオビジュアル受信機。
【請求項５】
現在のオーディオビジュアルチャネルを識別する表示されたモザイク画像の小画像をグラフィカルにハイライト表示する手段、及び前記サーバにより送出された現在のオーディオビジュアルチャネルに対応するオーディオストリームを受信する手段を含む、
ことを特徴とする請求項４記載のオーディオビジュアル受信機。
【請求項６】
現在のオーディオビジュアルチャネルを識別する表示されたモザイク画像の小画像をグラフィカルにハイライト表示する手段、及び１方向性の伝送ネットワークにより送出された現在のオーディオビジュアルチャネルに対応するオーディオストリームを受信する手段を含む、
ことを特徴とする請求項４記載のオーディオビジュアル受信機。
【請求項７】
オーディオビジュアルチャネルと、前記オーディオビジュアルチャネルに関連するビジュアルデータにアクセスする識別子とからなる少なくとも２つのペアを含むリストを記憶しているオーディオビジュアル受信機から、ビジュアルデータの要求を受信する手段と、
前記要求に応答して前記リストにおける前記オーディオビジュアルチャネルに対応する識別子に関連するビジュアルデータをサーチする手段であり、前記受信する手段及び前記サーチする手段は、前記オーディオビジュアル受信機におけるモザイクアプリケーションのユーザによる始動に応答して実行される手段と、
サーチされたビジュアルデータを前記オーディオビジュアル受信機に送信する手段とを有し、
前記オーディオビジュアル受信機は、受信したビジュアルデータから、複数の小画像から構成されるモザイク画像を作成して表示し、作成されたモザイク画像における小画像の位置は、前記リストにおいて特定される、
ことを特徴とする通信サーバ。
【請求項８】
前記受信する手段は、現在のオーディオビジュアルチャネルを識別する識別子を前記オーディオビジュアル受信機から受信し、前記送信する手段は、現在のオーディオビジュアルに対応するオーディオストリームを前記オーディオビジュアル受信機に送信する、
ことを特徴とする請求項７記載の通信サーバ。
【発明の詳細な説明】
【技術分野】
【０００１】
本発明は、オーディオビジュアル受信機においてユーザ個人のモザイク画像を表示する方法、及び係る表示方法が設けられたオーディオビジュアル受信機に関する。
【背景技術】
【０００２】
近頃、デジタル伝送ネットワークは、オーディオビジュアル受信機で視聴されることが意図されるオーディオビジュアルプログラム、及びたとえば電子番組ガイドを使用して番組を選択するのを可能にするサービス情報を伝送する。本出願により出願され、1995年6月9日に公開された特許FR2713427は、モザイク画像を表示し、この画像を使用して番組を選択する方法を記載する。この従来技術によれば、送信機は、小画像又は「サムネイル」から構成されるモザイク画像を送信し、それぞれのサムネイルは、現在伝送されている番組をグラフィカルに識別し、マッピングテーブルは、伝送される番組とモザイク画像におけるサムネイルの位置とを関連付けすることができる。サムネイルの視覚的なコンテンツは、アナログチャネル又はデジタルサービルにより伝送されるオーディオビジュアルプログラムで現在伝送される画像を一般に表す。モザイク画像は、プログラム送信機により生成されたビデオストリームで伝送される。これらは、幾つかのビデオソースから生じる画像のサイズを低減し、それらを互いにアセンブルすることで生成される。オーディオビジュアル受信機におけるアプリケーションは、モザイク画像の受信を検出し、それをスクリーンに表示する。ユーザは、方向キーを使用してカーソルを動かすことでサムネイル選択し、その結果として、（ボックスフレームを示すか、又はハイライトをそれに適用するか、更にはそれを点滅させることで）サムネイルがハイライト表示される。次いで、ユーザは、アクチベーションキー（キーは一般に“OK”で示される）を押し、次いで、アプリケーションは、このサムネイルに関連されるプログラムの伝送のパラメータ向けマッピングテーブルをサーチする。
【０００３】
デジタル領域では、パラメータは、伝送チャネルのリファレンスであり、オーディオビジュアルストリームのＰＩＤの値である。ネットワーク（地上波、衛星又はケーブル）は、「サービス」と一般に呼ばれるオーディオビジュアルプログラム、それらを参照することが意図されるデータを送信する。このデータは、たとえば、ＤＶＢ−ＳＩ（Digital Video Broadcast ― specification for Service Information）EN300468V1.3.1（ETSIで公開される）で定義される。アナログ領域では、チャネルは、その周波数で識別される。これらのパラメータにより、アプリケーションは、オーディオビジュアル受信機の復調器及び／又はフィルタをプログラムして信号を抽出し、それらをスクリーンに表示する。
【０００４】
モザイク画像は、送信機のレベルで設計されるので、受信機は、それを特定の処理を受ける必要なしにそれを即座に表示する。全てのオーディオビジュアル受信機は、同じモザイク画像を受信する。したがって、たとえばユーザの好みによって画像を個人向けにすることができない。送信機は、送信機により決定された順序で送信されるプログラムのセットについてモザイク画像を送出する。受信機のレベルで、アプリケーションは、ユーザの願望に従ってディスプレイをパラメータ化することができない。したがって、モザイク画像は、ユーザが決して選択しないものを含めて送信される全てのプログラムのサムネイルを、彼の好みの順序である可能性は殆どない順序で有する。
【０００５】
2002年1月25日に公開された特許FR2812160は、デコーダのユーザが彼自身及び彼の嗜好に従うモザイク画像を構築するのを可能にする。モザイク画像は、ユーザにより入力された選択からデコーダのレベルで生成される。このように、ユーザが、彼がモザイク画像で見たいと願うサービスを選択する。デコーダにとって内部のアプリケーションは、異なるストリームで送信されるデータを回復し、これらのデータからモザイク画像を生成する。しかし、受信機にとって、幾つかの異なるマイクロ波のサービス及びチャネルにより送信されたオーディオビジュアルデータを回復し、それらをリアルタイムでアセンブルしてモザイク画像を生成することは常に可能ではない。
【０００６】
2005年2月23日に公開された文献US2005/0028203は、デコーダにおけるデータ受信システム、及びモザイク画像の送信によりオーディオビジュアルプログラムを選択するアプリケーションを開示する。この発明の狙いは、モザイク画像で選択されたプログラムのオーディオコンテンツを聴くことにある。記載されるソリューションは、ユーザにより選択されたチャネルのオーディオコンポーネントを伝送するデータパケットのＤＶＢ−ＳＩのテーブルにおけるサーチからなる。次いで、データパケットがデコードされ、サウンドが再生される。
【発明の開示】
【発明が解決しようとする課題】
【０００７】
本発明は、受信機のレベルでのユーザの選択に従って個人化されるモザイク画像を表示するのを可能にする新たなユーザインタフェースを提案する。
【課題を解決するための手段】
【０００８】
本発明の主題は、オーディオビジュアル受信機においてモザイク画像を表示する方法であり、オーディオビジュアルチャネルのリストを前記受信機のレベルで生成するステップを含むものであり、当該方法は、該リストにおいてそれぞれのオーディオビジュアルチャネルを識別する少なくとも２つの識別子をサーバに送信し、サーバからそれぞれ識別されたチャネルに関連されるビジュアルデータを受信し、モザイク画像を形成するために受信されるビジュアルデータを受信機で収集し、生成されるモザイク画像を受信機のレベルで表示するステップを含む。
【０００９】
このように、モザイク画像は、オーディオビジュアル受信機で生成されたオーディオビジュアルチャネルのリストからオーディオビジュアル受信機にとって個人用にされる。それぞれの個人用のモザイク画像は、受信機のレベルで生成され、これによりサーバが収集動作を実行するのが回避される。受信機とサーバの間で送信される全てのデータは、モザイク画像を表示するために使用され、これにより通信ネットワークの帯域幅が最適化される。
【００１０】
リファインメントによれば、本方法は、リストにおけるそれぞれのチャネルと関連付けされる画像のストリームのサーバによる送信のステップを含む。次いで、画像は、モザイク画像のストリームを形成するため、受信機のレベルで収集される。このように、受信機は、連続するストリームを受信し、継続的に要求を送出する必要はもはやない。別のリファインメントによれば、本方法は、現在のオーディオビジュアルチャネルに対応するオーディオストリームを受信するステップを含み、このチャネルは、グラフィカルにハイライト表示される。このように、ユーザは、モザイクでハイライト表示されるチャネルに関連付けされるオーディオコンテンツを聴くことができる。オーディオストリームは、サーバにより送信されるか、又は伝送ネットワークを介して受信される。
【００１１】
別のリファインメントによれば、本方法は、サーバにより送出されたこの現在のオーディオビジュアルチャネルに対応するビデオストリームを受信するステップを含み、このチャネルは、モザイクでグラフィカルにハイライト表示される。このように、ユーザは、モザイクでハイライト表示されるチャネルに関連付けされる動画ビデオを見ることができる。別のリファインメントによれば、本方法は、モザイク画像を一時的に記憶するステップを含み、モザイク画像は、前記モザイク画像を形成する全てのビジュアルデータの受信に後続する決定された時間の後に表示される。このように、ユーザは、ビジュアルデータを受信する制約がない、モザイク画像の規則的な更新を見ることができる。
【００１２】
別のリファインメントによれば、新たなモザイク画像は、識別されたチャネルに関連付けされるビジュアルデータのそれぞれの受信に続いて表示される。このように、モザイク画像は、ビジュアルデータが受信されるたびに変化し、所定の視覚的な魅力を提供する。
【００１３】
本発明の別の主題は、オーディオビジュアル受信機のレベルでのモザイク画像を表示する方法であり、少なくとも２つのオーディオビジュアルチャネルのリストを該受信機のレベルで生成するステップを含み、リストにおけるそれぞれのオーディオビジュアルチャネルを識別する少なくとも２つの識別子をサーバに送信し、モザイク画像を形成するために受信されたビジュアルデータをサーバで収集し、受信機でモザイク画像を受信し、受信されたモザイク画像を表示するステップを含む。
【００１４】
このように、個人用のモザイク画像は、リモートグラフィックリソースを使用し、これにより、このタスクの受信機を除く。リファインメントによれば、サーバは、モザイク画像ストリームを生成し、ストリームデータを受信機に送信する。このように、受信機は、連続するモザイク画像のストリームを受信し、要求を継続して送出する必要がもはやない。
【００１５】
本発明の別の主題は、少なくとも２つのオーディオビジュアルチャネルのリストを生成する第一の手段を有するオーディオビジュアル受信機であり、当該受信機は、リストにおいてそれぞれのオーディオビジュアルチャネルを識別する少なくとも２つの識別子をサーバに送信する手段、それぞれ識別されたチャネルに関連されるビジュアルデータを受信する手段、モザイク画像を形成するために受信されたビジュアルデータを収集する手段、及び、表示の目的で生成されたモザイク画像を送信する手段を有することを特徴とする。
【００１６】
本発明の別の主題は、識別されたオーディオビジュアル受信機と通信する手段を有する通信サーバであり、通信手段は、少なくとも２つのオーディオビジュアルチャネルを識別する少なくとも２つの識別子のリストを受信し、当該通信サーバは、モザイク画像を形成するため、それぞれ識別されたチャネルと関連されるビジュアルデータを収集する手段を有し、通信手段は、表示の目的で生成されたモザイク画像を識別された受信機に送信する。
【００１７】
本発明の他の特徴及び利点は、添付図面を参照することで例示により与えられる実施の形態の記載の文脈で更に詳細に明らかとなるであろう。
【発明を実施するための最良の形態】
【００１８】
図１を使用して、表示装置２に接続されるオーディオビジュアル受信機１の動作がはじめに記載される。たとえばデコーダであるオーディオビジュアル受信機は、「セットトップボックス」とも呼ばれ、プログラムメモリ１２にリンクされる中央処理装置３、復調器４のような受信手段、及び受信アンテナを介して伝送ネットワークからオーディオ／ビデオデータを受信するデマルチプレクサを有する。受信機１は、好ましくはデジタルタイプであり、デジタルオーディオビジュアルサービスを受信するが、本発明は、マイクロ波チャネルにより伝送されるチャネルを受信するアナログタイプの受信機においても使用することができる。変形例として、受信機１には、リアルタイムでオーディオ／ビデオデータを送信するのを可能にするブロードバンドアクセスデジタルネットワーク６との通信用のインタフェース５が設けられている。このネットワークは、たとえばインターネットである。中央処理装置は、たとえば２００Ｍｉｐといった高速な画像処理を実行する高い処理能力を有する必要がある。また、受信機１は、リモートコントロール８からの信号を受信する赤外線信号インタフェース７、サービスデータを記憶するメモリ９、及びテレビジョンスクリーン２に送出されるオーディオビジュアル信号を生成するオーディオ／ビデオ復号化ロジック１０を有する。リモートコントロール８は、方向キー↑、↓、→、←及びキー“ＯＫ”が設けられており、これらの役割は後に説明される。
【００１９】
また、受信機１は、伝送ネットワークにより又はデジタルバス６により受信されたオーディオビジュアル伝送を直接に表示する回路１０、及び「オンスクリーンディスプレイ」を意味するＯＳＤ回路とも呼ばれるデータ埋め込み回路１１を有する。ＯＳＤ回路１１は、スクリーンにメニュー、ピクトグラム（たとえば視聴されているチャネルに対応する番号）及び画像を表示するのを可能にし、且つ本発明に係る異なるスクリーンを表示するのを可能にするテキスト及びグラフィックジェネレータである。ＯＳＤ回路は、中央処理装置３及びメモリ１２に含まれるモザイクアプリケーションにより制御される。このアプリケーションは、ＲＯＭメモリにあるか、又は書き込み可能なメモリにダウンロードされ保存される。変形例は、たとえばＡＳＩＣタイプのカスタム回路の形式で生成されるモザイクアプリケーションを有することを含む。
【００２０】
ネットワーク（地上波、衛星又はケーブル）は、「サービス」と更に一般に呼ばれるオーディオビジュアルプログラム及びそれを参照することが意図されるデータを伝送する。これらのサービスデータは、たとえばプリアンブルで引用されるＤＶＢ−ＳＩ仕様で定義される。これら仕様では、伝送ネットワークを通して伝送されるオブジェクトを記述するテーブル及び記述子の形式を取る。ＤＶＢ−ＳＩ標準により定義されるテーブルの中で、ＳＤＴテーブルは、たとえばサービスの分りやすい言葉の名前といったサービスに関連する更なる情報を与える。好適な例示的な実施の形態によれば、ＳＤＴテーブルは、オーディオビジュアルサービスに係るモザイク情報にアクセスするＵＲＬを規定するマッピングテーブルを伝送する。以下には、本発明に係るマッピングテーブルの例が示される。
【００２１】
【表１】
0005638803.tif 000002
マッピングテーブルを読むことで、受信機は、インターネットを使用して指定されたＵＲＬに要求を発し、モザイク画像を形成するために使用することができるビジュアルデータを受信することを訪ね、任意に、チャネル又はデジタルサービスのオーディオストリームを受信する。受信機１がアナログタイプである場合、チャネルの識別は、伝送チャネルの周波数である。
【００２２】
有利なことに、マッピングテーブルは、全てのサービスで伝送され、ユーザにより選択されたサービスに関わらず、デコーダは、それを受信することができる。受信される最後のテーブルは、受信機のメモリ９に記憶される先行するテーブルを置き換える。モザイクアプリケーションが４つの画像を表示するとする場合、メモリ９にテーブルの例を示す。
【００２３】
【表２】
0005638803.tif 000003
図２は、チャネル“ＴＶ１”、“Ｃｈａｎ２”、“ＨＤ３”、“Ｔｅｌｅ５”にそれぞれ関連される４つの画像によるモザイク画像を表示するスクリーンの外観を示す。表２では、第一の列は、モザイク画像における画像の位置を決定する。第一の参照符号は、左から開始する列の番号を表し、第二の参照符号は、画像の上から開始する行の番号を表す。
【００２４】
受信機１は、その通信インタフェース５を介して、ネットワーク６を介して、１以上の通信サーバ２０と通信し、その例示的な実施の形態は、図３により記載される。サーバ２０は、中央処理装置２．１、エンコーディングプログラムを含むプログラムメモリ２．２、伝送されるべきオーディオビジュアルデータを含むデータベース２．３、及び上述された受信機とネットワーク６を介して複数の双方向リンクを実現する通信インタフェースを有する。サーバ２０は、送信機から全てのプログラムを受信し、プログラムの束から全てのチャネルを受信する。ネットワークヘッドは、低解像度のストリームを生成し、それをサーバの符号化ロジック２．３に送出する。この低減されたストリームは、プログラムモザイク画像を生成するために使用することができる画像を送出する。表２により例示される例では、モザイク画像は、４つの画像を含む。ユーザ自身は、当業者にとって知られているグラフィックスクリーンマネージメントプログラムを使用して、モザイク画像における画像の位置を判定する。
【００２５】
様々なエレメントを説明した後、これらがどのように協働するかを説明する。
【００２６】
様々なやり取りの進展は、図４により例示される。ステップ４．１では、受信機１は、その個人のモザイク画像内の画像により識別されたオーディオビジュアルチャネル又はサービスのリストを生成する。このリストは、電子番組ガイドからユーザ選択により入力することができる。別の方法は、ユーザプロファイルを使用することを含み、リストは、ユーザにより最も頻繁に選択されるオーディオビジュアルチャネル又はサービスを含む。
【００２７】
次いで、ユーザは、コマンドを入力することでモザイクアプリケーションを始動する。このアプリケーションは、テーブルのコンテンツを読み、“/image”で終了するサイトであって、ＵＲＬがメモリにおけるテーブルに記述されるサイトから画像をダウンロードする全ての要求を発する。４つの画像からなるモザイク画像の例では、モザイクアプリケーションは、以下の４つの要求を発する。
【００２８】
-Req (http://TV1.com/image)
-Req (http://Chan2.com/image)
-Req (http://HD3.com/image)
-Req (http://tele5.com/image)
それぞれのサイトに関連されるサーバ２０は、ステップ４．４における要求を受信し、データベース２．３でビジュアルデータをサーチする。次いで、これらビジュアルデータは、要求を行なった受信機１に送出される（ステップ４．５）。
【００２９】
受信機１は、その要求の応答を待つ。４つのサイトを表すサーバは、ＪＰＥＧ形式で画像をリターンする（ステップ４．４）。
【００３０】
ひとたびビジュアルデータが受信されると、はじめに、モザイクのエリアの寸法に画像を生成するためにデコードされる。次いで、モザイクアプリケーションは、４つの正式に形成された画像を収集し、それらを表２に規定される位置に従って配置する。
【００３１】
(http://TV1.com/image)から生じる画像を左上に、
(http://Chan2.com/image)から生じる画像を右上に、
(http://HD3.com/image)から生じる画像を左下に、
(http://tele5.com/image)から生じる画像を右下にする。
【００３２】
受信１のレベルでこのように生成されたモザイク画像は、表示手段に送信され、スクリーン２で表示される（ステップ４．７）。
【００３３】
モザイク画像の規則的な更新を保証するため、モザイクアプリケーションは、ステップ４．３，４．４，４．５及び４．６をループで繰り返す。このため、画像のダウンロード要求は、規則的な時間インターバルで異なるサイトに送信される。本発明の特定のシンプルな実施の形態によれば、受信機１は、あるサイトへの前の要求から生じた画像を受信すると即座に、該サイトに画像の受信要求を送出する。受信機は、モザイクに存在する画像と同数のタスクをパラレルに実行する。画像の更新は、ネットワークの帯域幅及びサイトでの画像の可用性に従ってランダムに実行される。たとえば毎秒といった規則的な時間間隔で要求のラウンドを再び発することで画像の不規則な更新を回避することができる。それぞれのサイトの応答時間を変えることができ、したがって、データの受信は非同期に実行される。ディスプレイが受信後に即座に行なわれる場合、モザイク画像の更新はぎくしゃくするであろう。リファインメントは、受信機１で受信されるべきモザイク画像を形成するのを可能にする全てのビジュアルデータを待ち、次いで、モザイク画像を生成し、しれを一時的に記憶することを含む。次いで、正式に記憶されたモザイク画像は、規則的な時間インターバルで表示される。先に引用された例では、受信された４つの画像のそれぞれは、モザイク画像に組み込まれる。このように、ディスプレイのリズムは、ビジュアルデータが受信される瞬間とは独立に行なわれる。リファインメントは、受信されたデータとモザイク画像内でのそれらの表示との間に時間オフセットを実現することを含む。このオフセットは、典型的に３〜５秒であって、要求応答時間により影響を受けない規則的な表示を保証することが可能である。
【００３４】
変形例は、おそらく表示の規則的なリズムを可能にするための一時的なストレージの後、ビジュアルデータのそれぞれの受信でモザイク画像を生成し、それを表示することからなる。このように、新たな完全なモザイク画像について、表示は、４回変更され、これは、ユーザにとって気が散るように見える。毎秒で受信される４つの画像から構成されるモザイク画像の例では、モザイク画像は、４分の１秒毎にリフレッシュされる。
【００３５】
モザイク画像の表示及び更新は、ユーザの機器をスイッチオフにすること、対応するチャネル又はサービスを見るために画像を選択すること、又は、モザイクアプリケーションを閉じることにより、ユーザがプロセスに割り込むまで継続する。
【００３６】
リファインメントは、ビジュアルデータに加えて、モザイク画像でハイライト表示されるチャネル又はサービスに対応するオーディオストリームを受信することから構成される。方向キー↑、↓、→、←を使用して、ユーザは、モザイクにおける画像をハイライト表示し、“ＯＫ”キーを押すことで、そのチャネル又はサービスの画像はフルスクリーンに見える。これは、問題となるサービスを選択するアクションに対応する。モザイクアプリケーションは、表１を読み、その画像がハイライト表示されるチャネル又はサービスに対応するオーディオストリームの送信サイトをサーチし、このサイトにより送信される連続するストリームを生成するために要求を発する。次いで、デコーダは、たとえばマルチキャストデータ伝送によりストリームを伝送するオーディオサイトに接続し、たとえばＲＴＳＰ−ｔｙｐｅのセッションといった開かれるべき通信を供給する。たとえばＲＴＳＰのＲＦＣ２３２６といったインターネット標準により定義されるセッションプロトコルは、（このケースではデコーダに送出されるオーディオストリーム）コンテンツサーバでのクライアントの制御（確立、アクション及び終了）を定義する。オーディオデータはデコードされ、音声はラウドスピーカに送出され、それらは、画像サイトにより送信される画像の表示によりできるだけ合成される。受信機１は、モザイクアプリケーションが閉じたときにオーディオストリームの送信を終了する要求を送出する。
【００３７】
リファインメントは、モザイク画像でハイライト表示されるチャネル又はサービスのビジュアルデータを受信する要求をそのチャネル又はサービスのビデオストリームで置き換えることからなる。モザイクアプリケーションは、ハイライト表示された画像を判定し、その画像がハイライト表示されるチャネル又はサービスに対応するビデオストリームの送信サイトをサーチするため、表１を読む。次いで、モザイクアプリケーションは、このサイトにより送信される連続するストリームを確立するために要求を発する。たとえばhttp://www.tf1.org/といった１つのサイトで十分であり、要求は、サイトにおける異なるパスに向けられ、パスのＵＲＬは、接尾辞“/image”又は“/audio”を有する。典型的に、１つのサイトについて３つのＵＲＬが存在し、１つは画像であり（/imageの接尾辞が付される）、１つはオーディオであり（/audioの接尾辞が付される）、１つはビデオである（/videoの接尾辞が付される）。
【００３８】
リファインメントは、画像“/ video/100pixels”及び“/ video/200pixels”の定義に従って異なるＵＲＬを有することからなる。このリファインメントは、画像の要求とストリームの要求に同様に関連し、後者のケースでは、受信されたビデオは、多かれ少なかれ品質が低下する。送信は、オーディオストリームに関して同様のやり方で実行される。ビデオデータは、ユーザによりハイライト表示されたモザイク画像の一部にデコード及び埋め込みされる。ストリームのビデオデータは、連続するストリームの伝送を保証するＭＰＥＧフォーマットであることが好ましい。ビデオストリームを受信するための要求の伝送は、グラフの特徴の位置のそれぞれの変化で実行され、終了の伝送の要求は、グラフの特徴が画像を離れるときに送出される。ユーザがモザイクアプリケーションを閉じるとき、後者は、ビデオストリームの伝送を終了する要求を送出する。別のリファインメントによれば、受信機１は、低解像度の画像ストリームを受信する。このタイプの画像は、モザイクの小画像フォーマットと互換性がある。さらに、その解像度は、表示手段２にフルスクリーンで正しく表示するのを可能にせず、したがって、ペイアクセスコントロール（pay access control）でビジュアルデータの伝送を調整することは無意味である。このリファインメントは、低解像度のビジュアルデータの伝送が帯域幅を最適化するのと同様に有利である。
【００３９】
実施の形態の変形例によれば、モザイク画像でハイライト表示されるチャネル又はサービスのオーディオ及び／又はビデオ情報は、伝送ネットワークを介して受信される。たとえば、情報は、伝送ネットワークからオーディオ／ビデオデータを受信するのを可能にする復調器４及びデマルチプレクサのような受信手段により受信される。この変形例は、デジタルネットワーク６の帯域幅を消費しないという利点を有する。さらに、伝送ネットワークから受信された情報は、ユーザが“ＯＫ”キーを押すことでチャネル又はサービスを選択するときに直接に使用可能である。選択されたチャネルの画像は、すぐにフルスクリーンである。
【００４０】
変形例に拠れば、サーバ２０は、モザイクに存在する画像と同数のビデオストリームを伝送する。このように、受信機１は、モザイクにおける所定数のビデオストリームを表示し、したがって更新した、大きな視覚的な快適さが保証される。有利なことに、サーバにより伝送されるビデオストリームは、品質が低下したストリームであるが、画像が小さなフォーマットで現れるので十分である。
【００４１】
変形例に拠れば、モザイク画像を形成するチャネルのリストは、デジタルネットワークを介してサーバ２０に受信機１により伝送される。サーバは、受信機１から引き継ぎ、画像を収集して、受信機１により要求されたモザイク画像に対応する全体の画像を生成する。このため、受信機１は、サーバ２０に所望のモザイクのマップを含む要求をはじめに送出する。次いで、後者は、ユーザにより選択された異なるチャネル又はサービスの画像をサーチし、モザイク画像を構成し、それを受信機１に伝送する。受信機１は、受信されたモザイク画像のエリアにグラフィックの特徴を与える。このグラフィックの特徴は、ユーザにより入力されるナビゲーションコマンドに従って移動される。表２により例示されるマッピングテーブルを使用して、アプリケーションは、ハイライト表示されたエリア、ユーザにより選択されたチャネル又はデジタルサービスのオーディオＵＲＬ及びビデオＵＲＬから取り出すことができる。先に述べたように、モザイクアプリケーションは、グラフィカルにハイライト表示されたチャネル又はサービスのオーディオストリームを受信する要求を発する。オーディオストリームは、モザイク画像ストリームとは独立に受信される。
【００４２】
この変形例の利点は、受信機が、モザイク画像を生成する手段が設けられる必要がないこと、デジタルネットワーク６を通して伝送されるデータ量が最適化されるという事実にある。実際に、モザイクに存在する画像と等しい数の要求を送出し、等しい画像データを受信する代わりに、１つの要求が十分であり、これは、画像情報の１つのパケットの受信につながる。この実施の形態の変形例は、サーバ２０にモザイク画像のストリームを生成させることから構成される。受信機は、この受信機にカスタマイズされたモザイク画像を伝送するビデオストリームの伝送についてＲＴＳＰタイプのセッションをサーバ２０と開く要求を発する。ビデオストリームは、たとえばユーザがフルスクリーンで見るためにチャネルを選択したとき、デコーダからの新たな要求により割り込むことができる。
【００４３】
本発明は例示される特定の実施の形態を参照して記載されたが、これらの実施の形態に決して限定されるものではなく、特許請求の範囲によってのみ限定される。
【図面の簡単な説明】
【００４４】
【図１】本発明の例示的な実施の形態を実現するオーディオビジュアル受信機のブロック図である。
【図２】チャネル又はサービスを表す４つの小画像を有するモザイク画像である。
【図３】本発明に係るサーバの異なるエレメントを示す図である。
【図４】本発明の１例示的な実施の形態に係る、ユーザの受信機とサーバとの間の主要なやり取りを示す図である。
【図１】
0005638803.tif 000004
【図２】
0005638803.tif 000005
【図３】
0005638803.tif 000006
【図４】
0005638803.tif 000007